(57)【要約】【課題】映像情報ポータルサイトをネットワーク化して総合的な動画ストリーミング配信を行う映像配信表示システムを提供する。【解決手段】多様なサイトを開設してアクセス管理するＷｅｂサーバと、映像ポータルサイトを開設する観光施設の紹介用動画ファイルを撮影し作成する手段と、動画ファイルをエンコーディングして保存・蓄積し、ストリーミング配信用ファイルに変換してストリーミング配信する手段と、ＵＲＬと関連付けられた２次元バーコード及び／又はユニークＩＤを使用し、動画配信を受信してストリーミング再生する携帯端末を対象にＵＲＬアクセスの解析及び動画配信を管理する手段と、ＵＲＬに関連付けられたＩＣタグとタッチパネル操作とにより映像表示をする映像情報受信端末の表示情報を管理する手段と、映像情報受信端末への表示情報を伝送し更新する手段と、を有する映像配信管理サーバを備える。【選択図】図１
2007221487.tif 000002
【特許請求の範囲】
【請求項１】
ＰＣ端末、携帯端末、及び各種施設に設置され映像情報の授受を行うキオスク端末を含む各種端末を対象に広域ネットワークを介して動画のストリーミング配信を行う映像配信表示システムであって、
Ｗｅｂ上に多様なサイトを開設してアクセス管理するＷｅｂサーバと、
映像ポータルサイトを開設するための観光施設の紹介用動画ファイルを撮影し作成する動画コンテンツ作成手段と、
前記動画ファイルをエンコーディングして保存・蓄積すると共に、ストリーミング配信用ファイルに変換してストリーミング配信するストリーミング配信手段と、
ＵＲＬに関連付けられた２次元バーコード及び／又はユニークＩＤを使用し、動画配信を受信してストリーミング再生する携帯端末を対象にＵＲＬアクセスの解析及び動画配信を管理する携帯端末配信管理手段と、
ＵＲＬに関連付けられたＩＣタグとタッチパネル操作とにより映像表示をする映像情報受信端末の表示情報を管理する映像情報管理手段と、
前記映像情報受信端末への表示情報を伝送し更新する映像情報伝送更新手段と、を有する映像配信管理サーバを備えることを特徴とする映像配信表示システム。
【請求項２】
前記映像情報受信端末は、各企業、宿泊施設を含む情報配信元を特定するＩＤが埋め込まれた無線ＩＣタグを有する情報カードをかざすことにより該無線ＩＣタグのＩＤを読取るタグリーダと、読取った無線ＩＣタグのＩＤより予め記憶してあるＩＤに対応する管理番号を検索して該当するＵＲＬを識別し、該ＵＲＬによりインターネットを介し前記映像配信管理サーバに接続して通知する端末装置及びその記憶部と、で構成されることを特徴とする請求項１に記載の映像配信表示システム。
【請求項３】
前記携帯端末は、前記２次元バーコード及び／又はユニークＩＤを読み取り解析してＵＲＬを識別し、当該ＵＲＬの映像配信管理サーバにアクセスして映像配信を要求し、
前記携帯端末配信管理手段は、前記携帯端末からの要求に応答してストリーミング動画配信を行うことを特徴とする請求項１に記載の映像配信表示システム。
【請求項４】
前記映像配信管理サーバは、前記携帯端末及びＰＣ端末向けに配信されるストリーミング動画配信情報と、前記映像情報受信端末に表示される表示情報とを一括管理してマルチメディア配信を行うことを特徴とする請求項１に記載の映像配信表示システム。
【発明の詳細な説明】
【技術分野】
【０００１】
本発明は、映像配信表示システムに関し、詳しくは、広域ネットワークを介して各種施設に設置された映像情報受信端末に対する双方向型映像配信と、携帯端末に動画をストリーミング配信する携帯端末用の配信システムとを含む総合映像情報ポータルサイトを構成する映像配信表示システムに関するものである。
【背景技術】
【０００２】
最近、インターネットを通じた、バナー広告を含む広告宣伝情報の配信システムの利用が飛躍的に拡大している。配信側では広告の効果や質を向上させるために、受信側の顧客情報を採取し参照するターゲット配信システム、ローテーション配信システム等が考えられており、広告効果が即座に測定され開示されるものもある。また、宣伝情報を受信表示する装置も一般的なＰＣ（パーソナルコンピュータ）から携帯電話へと伝送系が発展・拡大し、更に、送受信や表示を発展・拡大する装置として、街頭に設置される汎用のキオスク端末形式でありながら自ら映像発信も可能な双方向型の映像情報受信端末等も出現してきている。
【０００３】
例えば、特許文献１に開示の「表示台」には、プロジェクタ等の映像投影装置を裏側に配置して、透明な表示パネルの裏側から映像を投影してパネルの前方から映像が観られるような表示パネルであり、パネル内にはポインティングデバイスとして光センサの投光反射経路を設けて観る人が、指や操作ペン等でタッチパネルとして作動させることができる大型表示台が開示されている。
【特許文献１】特開２００６−３９６０号公報
【発明の開示】
【発明が解決しようとする課題】
【０００４】
しかしながら、特許文献１のような従来の「表示台」は、室内外に設置され、内蔵するコンピュータ等の映像ソースからバネル上に商品の映像を表示すると共に、パネル内下部に実際の商品を展示し、これらの商品画像をタッチパネル上でタッチ選択することで、内蔵コンピュータが光センサによる光路の遮断点を検出して当該商品を認識し詳細情報を表示するものであって、それ自体で情報を発信する完結型の表示端末であるので、表示コンテンツが固定化して自由度が低く、インターネット等のネットワークを介して他の各種ポータルサイトと連携してネッワーク化することによる表示コンテンツの拡張・更新ができるというような発展性や新しさの面で問題があった。
【０００５】
そこで、本発明は、こうした映像情報受信端末に、無線ＩＣタグを組み合わせることで処理の迅速化を量り、広域ネットワークを介して動画ストリーミング配信を行うと共に、携帯端末用ネットワークにも動画配信する映像情報ポータルサイトとをリンクさせ、オンデマンドによる双方向型の動画ストリーミング配信システムを構築することによって、その相乗効果により映像配信表示のレベルを高めることができる総合的な映像配信表示システムを提供することを目的とする。
【課題を解決するための手段】
【０００６】
上記目的を達成するため、請求項１に記載の発明は、ＰＣ端末、携帯端末、及び各種施設に設置され映像情報の授受を行うキオスク端末を含む各種端末を対象に広域ネットワークを介して動画のストリーミング配信を行う映像配信表示システムであって、
Ｗｅｂ上に多様なサイトを開設してアクセス管理するＷｅｂサーバと、映像ポータルサイトを開設するための観光施設の紹介用動画ファイルを撮影し作成する動画コンテンツ作成手段と、前記動画ファイルをエンコーディングして保存・蓄積すると共に、ストリーミング配信用ファイルに変換してストリーミング配信するストリーミング配信手段と、ＵＲＬに関連付けられた２次元バーコード及び／又はユニークＩＤを使用し、動画配信を受信してストリーミング再生する携帯端末を対象にＵＲＬアクセスの解析及び動画配信を管理する携帯端末配信管理手段と、ＵＲＬに関連付けられたＩＣタグとタッチパネル操作とにより映像表示をする映像情報受信端末の表示情報を管理する映像情報管理手段と、前記映像情報受信端末への表示情報を伝送し更新する映像情報伝送更新手段と、を有する映像配信管理サーバを備えることを特徴とするとする。
また、請求項２に記載の前記映像情報受信端末は、各企業、宿泊施設を含む情報配信元を特定するＩＤが埋め込まれた無線ＩＣタグを有する情報カードをかざすことにより該無線ＩＣタグのＩＤを読取るタグリーダと、読取った無線ＩＣタグのＩＤより予め記憶してあるＩＤに対応する管理番号を検索して該当するＵＲＬを識別し、該ＵＲＬによりインターネットを介し前記映像配信管理サーバに接続して通知する端末装置及びその記憶部と、で構成されることを特徴とする。
また、請求項３に記載の前記携帯端末は、前記２次元バーコード及び／又はユニークＩＤを読み取り解析してＵＲＬを識別し、当該ＵＲＬの映像配信管理サーバにアクセスして映像配信を要求し、前記携帯端末配信管理手段は、前記携帯端末からの要求に応答してストリーミング動画配信を行うことを特徴とする。
また、請求項４に記載の前記映像配信管理サーバは、前記携帯端末及びＰＣ端末向けに配信されるストリーミング動画配信情報と、前記映像情報受信端末に表示される表示情報とを一括管理してマルチメディア配信を行うことを特徴とする。
【発明の効果】
【０００７】
本発明の映像配信表示システムによれば、各種施設に設置された映像情報受信端末によるシステムと、各種コンテンツ情報をＷｅｂにより提供するポータルサイトと、携帯端末用の動画ストリーミング配信システムとを連携し、総合映像情報ポータルサイトとして統括しネットワーク化したので、相乗効果によって利用できる動画コンテンツの情報量と質量とが飛躍的に増大して映像発信のレベルを向上させることができるという効果がある。
【発明を実施するための最良の形態】
【０００８】
以下、本発明を実施するための最良の形態の一実施例について図を参照して説明する。
図１は、本発明の映像配信表示システムの構成図である。
図１において、１はシステムの統括本部となる映像配信管理サーバであり、映像情報（ｉ−ｃｏｌｌｅｃｔｉｏｎ）配信システムと、旅の映像ポータルサイトと、携帯端末用情報配信（ＭＯＳＴ）と、を含む総合映像情報ポータルサイトとして、三つの伝送系を統合ネットワーク化して動画コンテンツのストリーミング配信を管理するサーバシステムである。ここで、映像配信管理サーバ１を構成する各手段９〜１４は、必要なハードウェア機器と連携しアプリケーションサーバ（図示せず）によってソフトウェアを実行することで機能する。
【０００９】
２は携帯端末用情報配信システムに包含され、動画ストリーミング配信可能な不特定多数の携帯電話機（携帯端末）である。３はＰＣ（パーソナルコンピュータ）によりアクセスし動画ストリーミング配信を受ける一般ユーザのＰＣ端末（ユーザ端末）である。
４は商店街、公共施設、単体企業等の広告用動画ストリーミング配信情報の作成を依頼するＢｔｏＢ取引対象の各クライアント端末（商店端末）であり、５は観光協会、旅館組合、各種宿泊施設等、旅の映像ポータルサイトの運営を本部に依頼してＢｔｏＢ取引を行うクライアント端末（企業端末）である。
６は当システムにおける主要な旅の映像ポータルサイトを提供する提携旅行社の端末（旅行社端末）である。７は広域ネットワーク配信を担うインターネットである。
【００１０】
８は統轄本部の映像配信管理サーバ１の一部を構成するＷｅｂサーバであり、ポータルサイトを開設してユーザ等のアクセスを管理する。
９は動画コンテンツ作成手段であって、旅行社端末６等から提供される宿泊施設や、各クライアント端末（商店端末４、企業端末５）からの依頼により動画ストリーミング配信用の動画ファイルをビデオ撮影して編集し、例えば、ａｓｆファイル形式等により作成してストリーミング動画データベース２０に蓄積する動画コンテンツ作成手段である。
１０はストリーミング配信手段であって、各種動画編集ソフトにより生成された動画ストリーミングデータを、ブロードバンドのインターネットを介して配信するためのストリーミング配信手段である。
【００１１】
１１は携帯端末配信管理手段であり、携帯電話プロバイダ等の携帯端末通信網１６を介して携帯端末配信管理データベース２１に格納する携帯端末配信（ＭＯＳＴ）管理情報、動画ＣＭ（コマーシャルメッセージ）等を参照し、動画ストリーミング配信により動画を配信する携帯端末用伝送系の携帯端末配信（ＭＯＳＴ）システム運用サーバでもある。
【００１２】
１２は映像情報管理手段であって、映像情報端末（ｉ−ｃｏｌｌｅｃｔｉｏｎ端末）に表示される各種映像情報（ｉ−ｃｏｌｌｅｃｔｉｏｎ情報）、旅のポータルサイト情報等を、総合映像情報ポータルサイトとして、相互に配信可能にリンクさせるインデックスを作成し、無線ＩＣタグを埋め込んだ情報カードの管理データ等と共に配信情報データベース１９に蓄積管理する。
１３は映像情報伝送更新手段であって、映像情報端末１７で読み取った情報カードのタグＩＤや管理番号等の管理情報を受取り、定期的に情報更新を行う。
１４はユーザ登録手段であって、ＢｔｏＢ契約を行った顧客企業情報、サイトへアクセスする一般ユーザ情報、販売情報、課金情報等を管理情報データベース２２に蓄積して業務管理を行う。
【００１３】
１７は街頭、駅通路、各企業や商店内等の各施設の各所に設置される双方向型の映像情報端末（ｉ−ｃｏｌｌｅｃｔｉｏｎ端末）であり、表示パネル上に形成されたタッチパネルを用いて操作するか、或いは、ユーザが携行するか或いは映像情報端末と共に備えられた情報カードをタグリーダ１７ａの読取り窓にかざして読取ることで、映像配信サーバ１から配信された該当する情報をパネル１７ｂに表示させる。
【００１４】
以上のような構成による本システムの動作について説明する。
図２は、本発明の映像配信表示システムの処理の流れを示す図である。
図２を参照して事業の関連内容を説明する。
先ず、旅行社等とのタイアップや、商店・企業等のクライアントより、観光地の宿泊施設の映像や、商品広告、企業宣伝等の動画等を、撮影部隊を派遣して撮影する等により、各端末４、５、６を介して受信するか、或いは直接管理サーバのオペレータ等により動画コンテンツ作成手段９に取り込み、ａｓｆフアイル等によって音声付き映像として編集し、動画編集ソフトを用いて圧縮エンコーディングし、例えば、１００秒程度の動画ストリーミング情報としてストリーミング配信手段１０のストリーミングサーバにアップロードしてＵＲＬを付与し、ストリーミング動画データベース２０に配信情報として保管すると共に、これら旅行社、各宿泊施設等のポータルサイトをＷｅｂサーバ８により開設する。
【００１５】
同じように、各施設に設置されるオンデマンドによる双方向型の映像情報端末（ｉ−ｃｏｌｌｅｃｔｉｏｎ端末）１７の表示用データとして、各クライアント端末４、５より商品、企業情報や、旅行社の宿泊施設情報を取得し、重複する情報に関しては、インデックスを作成して互いにリンクできるように構成すると共にそのインデックスを保持し、旅のポータルサイト用の情報と異なる情報に関しては、新たな情報として別に保管し、他の映像情報ポータルサイトの情報ともリンクして総合的な情報が得られるように構成する。
【００１６】
図３は、映像情報端末（ｉ−ｃｏｌｌｅｃｔｉｏｎ端末）１７の構成図である。映像情報端末１７の下段に並べられたような、表示する商品や企業のイラストや画像が印刷されてタグＩＤが埋め込まれた、無線ＩＣチップを貼付したジャケット型情報カード１７ｃ等を多数作成して収納する。
ここで通行中のユーザが興味を示し、タグリーダ１７ａの読み取り窓に、手に取ったカード１７ｃをかざすと、タグリーダ１７ａが印刷アンテナを介してタグＩＤを読み取り、映像情報端末の端末装置１７ｄへ送ると、端末装置１７ｄは、保管しているタグＩＤ、管理番号を検索して該当するＵＲＬに、インターネット７を介して接続し、該当映像を映像情報端末１７の表示パネルに表示させるように要求する。
【００１７】
映像配信管理サーバ１を介して該当するＵＲＬに接続し、タグＩＤ番号、管理番号を通知すると、操作メニューを含む画像が表示され、タッチセンサを有する表示パネル１７ｂに表示されたサイト画像を、例えば、図４に示すように、指、ペン等でタッチすることによってリンク画像へジャンプして表示させることができる。この場合のリンク画像は、端末装置１７ｄが保持しているＵＲＬの画像なら端末装置１７ｄがそのまま表示させ、もし、端末装置１７ｄが保持していない画像の場合は、映像配信管理サーバ１がデータベースを検索してリンク表示する。また、ユーザが操作していない間は適宜広告を表示する広告塔として動作させたり、交通機関、行政機関等の必要情報を表示したりすることができる。
【００１８】
図５は、映像情報端末（ｉ−ｃｏｌｌｅｃｔｉｏｎ端末）１７の構成例を示す説明図であり、側面断面と正面を示している。タッチセンサを有するパネル１７ｂは、ショーウィンドウ等のガラス面を利用して任意の大きさで設置可能であり、プロジェクタ１７ｅ等からガラス面に貼り付けた特殊フィルム上に映像が投影される。タッチパネル１７ｂの大きさも表示画面のサイズにあわせて随意の大きさにすることが可能であり、静止画だけでなく旅のポータルサイト、携帯端末配信情報、共に動画ストリーミングの配信が可能である。そして、これらの映像情報端末群は、図６に示すように各施設の屋内外の各所に配置され、連携管理されて、周期的に最新情報を映像配信管理サーバ１より配信し、端末装置１７ｄ内の情報更新が行われ、映像情報配信データベース１９の内容も更新される。
【００１９】
一方、携帯端末配信システムでは、携帯端末２からユーザがＷｅｂサイトの旅の映像ポータルサイトや、商品、企業等のサイトを閲覧する際に、ＱＲコード（登録商標）等の２次元コードやユニークな識別符号を用いて対応するＵＲＬを通じてアクセスする。この場合、例えば、図７に示すように、ユーザ端末３の表示画面上に表示された２次元コードのアイコンをクリックするか、或いは、携帯電話のカメラにより画面に表示された２次元コード認識してそのＵＲＬを表示し、表示されタＵＲＬにアクセスすることでも配信される。表示画面に２次元コードを表示してアクセスする場合は、映像情報受信端末１７の表示パネル１７ｂの表示画面内に、ＵＲＬが埋め込まれた２次元コードを表示し、この２次元コードを携帯電話のカメラにより認識してそのＵＲＬにアクセスする場合の方が用途としてふさわしい。
【００２０】
ＵＲＬにアクセスすると、その情報が通信プロバイダの携帯端末通信網１６を介して、情報配信管理サーバ１に送信され、携帯端末配信管理手段１１によって、対応するＵＲＬの動画ストリーミング情報を配信し、動画ストリーミング再生プレイヤーによりデコードされて音声付きの動画が再生される。ストリーミング配信では受信しながら再生される。そして動画情報としては、旅のポータルサイトの情報だけではなく、商品や企業、行政機関等の各種映像情報や、他の映像情報ポータルサイトの情報等もリンク情報として連携し総合的に扱われ、システムの共通データ形式かつ動画ストリーミング形式で、広範な情報を効率よく利用することができる。
【００２１】
また、同様に、Ｗｅｂ上に開設された旅の映像ポータルサイト等に、ユーザ端末３からアクセスして所望のストリーミング情報を指定し、動画ストリーミング再生プレイヤーにより動画・音声のストリーミング再生を開始する。ユーザ端末３からアクセスするユーザの場合も、携帯端末２のユーザと同様に、ＵＲＬが埋め込まれた２次元コード、識別符号によるアクセスが可能である。
この場合も、旅の映像ポータルサイトの情報だけではなく、商品や企業、行政機関等の各種映像情報や、他の携帯端末に向けて配信される映像情報ポータルサイトの情報等も、同列に共有データとして動画ストリーミング配信が可能であり、効果的な動画ストリーミンクによる情報の総合利用が可能になる。
【図面の簡単な説明】
【００２２】
【図１】本発明の実施形態の一実施例による映像配信表示システムの構成図である。
【図２】図１に示す映像配信表示システムの処理の流れ図である。
【図３】図１に示す映像情報受信端末（ｉ−ｃｏｌｌｅｃｔｉｏｎ端末）の配置例の図である。
【図４】図３に示す映像情報受信端末のパネルの一例を示す図である。
【図５】図３に示す映像情報受信端末の一例の説明図である。
【図６】図１に示す映像情報受信端末群の設置例の図である。
【図７】携帯端末からアクセスするための表示画面を説明する図である。
【符号の説明】
【００２３】
１    映像配信管理サーバ
２    携帯端末（携帯電話機）
３    ユーザ端末（ＰＣ端末）
４    商店端末
５    企業又は行政機関端末
６    旅行社端末
７    インターネット（広域ネットワーク）
８    Ｗｅｂサーバ
９    動画コンテンツ作成手段
１０    ストリーミング配信手段
１１    携帯端末配信管理手段
１２    映像情報管理手段
１３    映像情報伝送更新手段
１４    ユーザ登録手段
１６    携帯端末通信網
１７    映像情報受信端末（ｉ−ｃｏｌｌｅｃｔｉｏｎ端末）
１９〜２２    データベース
【図１】
2007221487.tif 000003
【図２】
2007221487.tif 000004
【図３】
2007221487.tif 000005
【図４】
2007221487.tif 000006
【図５】
2007221487.tif 000007
【図６】
2007221487.tif 000008
【図７】
2007221487.tif 000009